(57)【要約】【課題】表示パネルの前側に設けられた透明部材の前面に局所的な応力が加えられても、表示パネルの周縁部に隣接する部分において表示が乱れない表示装置を提供する。【解決手段】表示パネル１と、表示パネル１に重なるように該表示パネル１の前側に設けられた透明部材４と、表示パネル１を収容する筺体３と、を備える表示装置１００であって、表示パネル１の表示エリア４３よりも外側の領域である前面周縁部１１が透明部材４の後面のうちの第一接合領域４１に接合され、筺体３が透明部材４の後面のうちの第二接合領域４２に接合されることで、表示パネル１が透明部材４を介して筺体３に支持され、表示パネル１の後面が表示パネル１の後側に配置された部材と離間している。【選択図】図２
2012032565.tif 000002
【特許請求の範囲】
【請求項１】
表示パネルと、
前記表示パネルに重なるように該表示パネルの前側に設けられた透明部材と、
前記表示パネルを収容する筺体と、を備える表示装置であって、
前記表示パネルの表示エリアよりも外側の領域である前面周縁部が前記透明部材の後面のうちの第一接合領域に接合され、前記筺体が前記透明部材の後面のうちの第二接合領域に接合されることで、前記表示パネルが前記透明部材を介して前記筺体に支持され、
前記表示パネルの後面が前記表示パネルの後側に配置された部材と離間していることを特徴とする表示装置。
【請求項２】
前記表示パネルの前記前面周縁部は接合部材を介して前記透明部材の前記第一接合領域に接合され、該接合部材は弾性を有する部材からなることを特徴とする請求項１に記載の表示装置。
【請求項３】
前記表示パネルの後側に設けられ、該表示パネルに向けて光を照射する光源部を更に備え、
前記筺体は前記表示パネル及び前記光源部を収容することを特徴とする請求項１又は２に記載の表示装置。
【請求項４】
前記光源部は前記筺体によって支持されていることを特徴とする請求項３に記載の表示装置。
【請求項５】
前記透明部材の後面において、前記第二接合領域は前記第一接合領域よりも外側に配置されていることを特徴とする請求項１から４の何れか一項に記載の表示装置。
【請求項６】
前記表示パネルの前面のうち前記前面周縁部以外の領域が、前記表示パネルの前側に配置された部材と離間していることを特徴とする請求項１から５の何れか一項に記載の表示装置。
【発明の詳細な説明】
【技術分野】
【０００１】
本発明は、表示装置に関する。
【背景技術】
【０００２】
特許文献１には、液晶セルとその前側に設けられたガラス基板とを有する液晶表示素子であって、液晶セルの周縁部が金枠に直接的に固定された液晶表示素子が開示されている。
【先行技術文献】
【特許文献】
【０００３】
【特許文献１】実用新案登録第２５２９１１８号公報
【発明の概要】
【発明が解決しようとする課題】
【０００４】
しかしながら上記液晶表示素子にあっては、例えばガラス基板の前面が押圧されて応力が加わると、その後側に配置された液晶セルの前面にも局所的に応力が印加されるとともに、金枠に直接的に固定された液晶セルの周縁部に局所的に応力が印加される。そのため液晶表示素子の表示領域において、押圧部分及び周縁部に隣接する部分の画像表示が乱れるという問題がある。
【０００５】
そこで本発明の課題は、表示パネルの前側に設けられた透明部材の前面に局所的な応力が加えられても、表示パネルの周縁部に隣接する部分において表示が乱れない表示装置を提供することを目的とする。
【課題を解決するための手段】
【０００６】
以上の課題を解決するため、本発明の一態様によれば、
表示パネルと、
前記表示パネルに重なるように該表示パネルの前側に設けられた透明部材と、
前記表示パネルを収容する筺体と、を備える表示装置であって、
前記表示パネルの表示エリアよりも外側の領域である前面周縁部が前記透明部材の後面のうちの第一接合領域に接合され、前記筺体が前記透明部材の後面のうちの第二接合領域に接合されることで、前記表示パネルが前記透明部材を介して前記筺体に支持され、
前記表示パネルの後面が前記表示パネルの後側に配置された部材と離間していることを特徴とする表示装置が提供される。
【０００７】
上記表示装置において、好ましくは、前記表示パネルの前記前面周縁部は接合部材を介して前記透明部材の前記第一接合領域に接合され、該接合部材は弾性を有する部材からなる。
上記表示装置において、好ましくは、前記表示パネルの後側に設けられ、該表示パネルに向けて光を照射する光源部を更に備え、
前記筺体は前記表示パネル及び前記光源部を収容する。
上記表示装置において、好ましくは、前記光源部は前記筺体によって支持されている。
上記表示装置において、好ましくは、前記透明部材の後面において、前記第二接合領域は前記第一接合領域よりも外側に配置されている。
上記表示装置において、好ましくは、前記表示パネルの前面のうち前記前面周縁部以外の領域が、前記表示パネルの前側に配置された部材と離間している。
【発明の効果】
【０００８】
本発明によれば、表示パネルの前側に設けられた透明部材の前面に、局所的に応力が加えられた場合に、表示パネルの周縁部に隣接する部分において表示が乱れることを防止又は抑制することができる。
【図面の簡単な説明】
【０００９】
【図１】第１の実施形態における電子機器の一部を示す断面図である。
【図２】第１の実施形態における表示パネルを示す模式断面図である。
【発明を実施するための形態】
【００１０】
以下に、本発明を実施するための形態について図面を用いて説明する。ただし、以下に述べる実施形態には、本発明を実施するために技術的に好ましい種々の限定が付されているが、発明の範囲を以下の実施形態及び図示例に限定するものではない。
【００１１】
図１は、表示装置１００の正面図であり、図２は、図１に示したII-II線に沿った面の矢視断面図である。表示装置１００は、表示パネル１と、光源部２と、筺体３と、透明部材４と、を備える。
【００１２】
表示パネル１は、アクティブマトリクス方式の液晶表示素子であり、第一透明基板６と第二透明基板７が液晶層（図示省略）を介して対向配置されて構成されている。第一透明基板６と第二透明基板７の互いに向き合う内面には、第一と第二の透明電極（図示省略）が設けられている。第一と第二の透明電極は、電圧の印加により液晶層の液晶分子の配向状態を変化させて光の透過を制御する複数の画素をマトリクス状に形成している。また、第一透明基板６の後面には偏光板８が貼り付けられ、第二透明基板７の前面には偏光板９が貼り付けられている。また、第一透明基板６には上記の透明電極間に駆動電圧を印加するための表示用駆動回路（図示省略）が搭載されている。
【００１３】
光源部２は、表示パネル１に対して後側から光を照射するものである。光源部２は、表示パネル１の後面に対向する導光板２１の前面上に、拡散シート２２、第一プリズムシート２３及び第二プリズムシート２４がそれぞれ一枚ずつ順に積層されて構成されている。導光板２１は入射面から入射した光を出射面２５から射出する。拡散シート２２は導光板２１の出射面２５から射出された光を拡散して輝度を均一にするものである。第一プリズムシート２３及び第二プリズムシート２４は、拡散シート２２によって拡散された光を屈折させて、導光板２１の法線方向における光の強度を高くするものである。また、導光板２１の後側には導光板２１の後面から漏れ出た光を導光板２１に向けて反射する反射シート２６が設けられている。この光源部２は表示パネル１の後側に対向して設けられ、表示パネル１の後面には当接せず離間した状態となっている。
【００１４】
筺体３は、樹脂製の枠状の支持部３１と、該支持部３１の前面の周縁部から前側に向かって突出するように該支持部３１と一体的に形成された枠状の壁部３２と、支持部３１の側面全体及び後面全体と壁部３２の側面全体と光源部２の反射シート２６の後面全体とを覆う金属製のフレーム３４と、を有する。フレーム３４の前側であって支持部３１及び壁部３２の内側の空間に表示パネル１及び光源部２が収容されている。光源部２はフレーム３４の前面に載置された状態で支持・固定されており、表示パネル１は支持部３１及び壁部３２の何れからも離間しており、支持部３１及び壁部３２には固定されていない。
【００１５】
透明部材４は、透明樹脂からなる矩形板状部材であり、表示パネル１に重なるように表示パネル１及び筺体３の前側に配置されている。また、透明部材４は前側から見て表示パネル１及び筺体３よりも大きく形成されている。この透明部材４は、表示パネル１及び筺体３のそれぞれに接合されている。その接合方法について以下説明する。
【００１６】
まず、表示パネル１の前面周縁部（偏光板９の前面周縁部）１１にクッションテープ１０を貼り付ける。ここで、表示パネル１の前面周縁部（偏光板９の前面周縁部）１１は、表示パネル１の表示エリア４３よりも外側の領域であり、表示パネル１の表示エリアを取り囲むロ字状（無端枠形状）をなす。クッションテープ１０は所定の厚みの弾性部材からなる両面テープであって、表示パネル１の表示エリア４３全体を取り囲み、前面周縁部１１全体を覆うように、ロ字状に形成されている。このクッションテープ１０が貼り付けられた表示パネル１の前側に透明部材４を対向配置する。そしてクッションテープ１０を介して表示パネル１の前面周縁部１１と、透明部材４の後面のうち第一接合領域４１とを接合する。これにより表示パネル１の前面のうち前面周縁部１１以外の領域が透明部材４と離間した状態で、表示パネル１が透明部材４に固定される。また、表示パネル１と透明部材４とを直接接合しているため、表示パネル１と透明部材４との貼付精度が向上する。なお、クッションテープ１０はロ字状に形成されていなくともよく、複数個に分けて形成され、表示パネル１の前面周縁部１１のうちの複数箇所にそれぞれ貼り付けられるものとしてもよい。
【００１７】
続いて、この一体化した表示パネル１及び透明部材４を、筺体３の前側に配置する。そして透明部材４の後面のうち第二接合領域４２と、筺体３の壁部３２の壁部前面３３とを接合する。なお、第二接合領域４２は、透明部材４の後面のうち第一接合領域４１の外側に設けられているものである。また、壁部前面３３と第二接合領域４２との接合はクッションテープによって接合されている必要はなく、何れの接合方法であってもよい。
【００１８】
以上のような接合方法によって表示パネル１、筺体３及び透明部材４の各部材が接合されている。これにより表示パネル１が透明部材４を介して筺体３に支持されている。
【００１９】
以上の本実施形態によれば、表示パネル１が透明部材４に接合され、その透明部材４が筺体３に接合されており、表示パネル１の側面及び後面は何れの部材にも固定されていない。したがって透明部材４に局所的な応力が加えられても表示パネル１には、表示パネル１が他の部材に固定されていることに起因する局所的な応力が発生しない。また、表示パネル１と透明部材４とは厚みのあるクッションテープ１０を介して接合されており、その接合箇所以外は互いに離間している。これにより、透明部材４に応力が加えられてもその後側の表示パネル１に局所的に応力が印加されることを抑制することができる。したがって表示パネル１の周縁部に隣接する部分において表示が乱れることを効果的に抑制することができる。
また、表示パネル１と透明部材４とをクッションテープを介して直接接合しているので、表示パネル１と透明部材４との貼付精度が向上する。
また、光源部２は筺体３のみに固定されているため負荷を与えずにリワークが可能である。
【００２０】
なお、透明部材４は表示パネル１を保護する保護板であってもよいし、タッチパネルであってもよい。タッチパネルである場合には、抵抗膜方式、静電容量方式、光学方式、電磁誘導方式又は超音波方式の何れかの方式によるものを用いる。
また、表示パネル１は液晶表示パネルでなくともよく、ＥＬ（Electro Luminescence）表示パネル、ＰＤＰ（Plasma Display Panel）表示パネル又はＯＬＥＤ（Organic light-Emitting Diode）表示パネル等であってもよい。かかる場合には光源部２が設けられていなくてもよい。
【符号の説明】
【００２１】
１  表示パネル
２  光源部
３  筺体
４  透明部材
６  第一透明基板
７  第二透明基板
１０  クッションテープ（接合部材）
４１  第一接合領域
４２  第二接合領域
４３  表示エリア
１００  表示装置
【図１】
2012032565.tif 000003
【図２】
2012032565.tif 000004